(57)【要約】      （修正有）【課題】バンド本体に対する補強部材の取付強度を高めて、補強部材に対するバンド本体の変形を確実に抑えることができるバンドおよびそれを備えた時計を提供する。【解決手段】軟質材料のバンド本体７の一端部７ａにインサート成型によって埋め込まれた硬質材料の補強部材が、バンド本体７の一端部７ａにその端面から一部を露出させた状態で埋め込まれる本体部と、この本体部にバンド本体７の長手方向と直交する方向に沿って設けられてばね棒１１が取り付けられる連結取付部１２と、インサート成型時にバンド本体７の一部７ｅが本体部に対して食い込む切欠き部と、を備えている。従って、バンド本体７の一部７ｅを補強部材の切欠き部に食い込ませることができるので、バンド本体７に対する補強部材の取付強度を高めることができると共に、補強部材に対するバンド本体７の変形を確実に抑えることができる。【選択図】図３
2018108468.tif 000002
【特許請求の範囲】
【請求項１】
軟質材料のバンド本体と、
前記バンド本体の一端部に埋め込まれた硬質材料の補強部材と、
を備え、
前記補強部材は、前記バンド本体の一端部にその端面から一部を露出させた状態で埋め込まれる本体部と、前記本体部に前記バンド本体の長手方向と直交する方向に沿って設けられて連結部材が取り付けられる連結取付部と、前記バンド本体の一部が前記本体部に対して食い込む食込み部と、を備え、
前記補強部材の前記食込み部は、前記補強部材の前記連結取付部における前記バンド本体の長手方向と直交する方向の中間部に設けられ、前記連結取付部を２つに分断して前記本体部の下面に食い込む切欠き部であることを特徴とするバンド。
【請求項２】
請求項１に記載のバンドにおいて、前記バンド本体の前記一端部は、前記補強部材の前記切欠き部に食い込む前記バンド本体の一部と、これに対して前記バンド本体の長手方向と直交する方向に対応する前記補強部材の両側に配置された前記バンド本体の両側部と、前記補強部材の前記連結取付部とが、前記連結部材によって被装着部材に取り付けられていることを特徴とするバンド。
【請求項３】
請求項１に記載のバンドにおいて、前記バンド本体の前記一端部における両側部には、前記バンド本体の厚み方向の上側に位置する肉厚の厚い上側部と、前記バンド本体の厚み方向の下側に位置する肉厚の薄い下側部と、が形成されていることを特徴とするバンド。
【請求項４】
請求項１〜請求項３のいずれかに記載のバンドにおいて、前記バンド本体の前記一端部の前記端面から露出する前記補強部材の前記一部には、凹部が前記補強部材の内部に食い込んで形成されていることを特徴とするバンド。
【請求項５】
軟質材料のバンド本体と、
前記バンド本体の一端部に埋め込まれた硬質材料の補強部材と、
を備え、
前記補強部材は、前記バンド本体の一端部にその端面から一部を露出させた状態で埋め込まれる本体部と、前記本体部に前記バンド本体の長手方向と直交する方向に沿って設けられて連結部材が取り付けられる連結取付部と、前記バンド本体の一部が前記本体部に対して食い込む食込み部と、を備え、
前記バンド本体の前記一端部の前記端面から露出する前記補強部材の前記一部には、凹部が前記補強部材の内部に食い込んで形成されていることを特徴とするバンド。
【請求項６】
請求項１に記載のバンドにおいて、前記補強部材には、前記バンド本体の前記一端部が前記連結部材によって取り付けられる被装着部材の外面に当接することにより、前記連結部材を中心とする前記バンド本体の回転を規制する回転規制部が設けられていることを特徴とするバンド。
【請求項７】
軟質材料のバンド本体と、
前記バンド本体の一端部に埋め込まれた硬質材料の補強部材と、
を備え、
前記補強部材は、前記バンド本体の一端部にその端面から一部を露出させた状態で埋め込まれる本体部と、前記本体部に前記バンド本体の長手方向と直交する方向に沿って設けられて連結部材が取り付けられる連結取付部と、前記バンド本体の一部が前記本体部に対して食い込む食込み部と、を備え、
前記補強部材の前記食込み部は、前記補強部材の前記本体部に前記バンド本体の長手方向と直交する方向に沿って設けられた溝部であることを特徴とするバンド。
【請求項８】
軟質材料のバンド本体と、
前記バンド本体の一端部に埋め込まれた硬質材料の補強部材と、
を備え、
前記補強部材は、前記バンド本体の一端部にその端面から一部を露出させた状態で埋め込まれる本体部と、前記本体部に前記バンド本体の長手方向と直交する方向に沿って設けられて連結部材が取り付けられる連結取付部と、前記バンド本体の一部が前記本体部に対して食い込む食込み部と、を備え、
前記補強部材の前記食込み部は、前記バンド本体の前記一端部の前記端面から露出する前記補強部材の前記一部の周縁部に設けられた枠状溝部であることを特徴とするバンド。
【請求項９】
請求項８に記載のバンドにおいて、前記バンド本体の前記一端部には、その前記端面から露出する前記補強部材の前記一部の周縁部にこれを覆って配置され、前記連結部材によって取り付けられる被装着部材の外面に弾接することにより、前記連結部材を中心とする前記バンド本体の回転を弾力的に規制する回転規制部が設けられていることを特徴とするバンド。
【請求項１０】
請求項１〜請求項９のいずれかに記載されたバンドを備えていることを特徴とする時計。
【発明の詳細な説明】
【技術分野】
【０００１】
この発明は、腕時計などの腕装着装置やバッグ、鞄、衣服などに用いられるバンドおよびそれを備えた時計に関する。
【背景技術】
【０００２】
例えば、腕時計のバンドにおいては、特許文献１に記載されているように、シリコーン樹脂などの軟質材料のバンド本体の一端部に嵌着凹部を設け、この嵌着凹部に硬質材料の補強部材を嵌め込み、この状態でバンド本体の一端部を補強部材と共に腕時計ケースのバンド取付部にばね棒などの連結部材で取り付けるように構成されたものが知られている。
【先行技術文献】
【特許文献】
【０００３】
【特許文献１】特開２０１５−１３６５４７号公報
【発明の概要】
【発明が解決しようとする課題】
【０００４】
このような腕時計のバンドでは、バンド本体の長手方向と直交する方向における補強部材の両側面と腕時計ケースのバンド取付部の対向面との間に、バンド本体の一端部に位置する両側部を配置するための隙間を広く形成して、嵌着凹部の両側に位置するバンド本体の両側部の肉厚を厚く形成しなければ、軟質材料で形成されたバンド本体の嵌着凹部内に補強部材を強固に固定することができないという問題がある。
【０００５】
また、このような腕時計のバンドでは、補強部材の両側面とバンド取付部の対向面との間の隙間を広くして、嵌着凹部の両側に位置するバンド本体の両側部の肉厚を厚く形成すると、バンド本体の長手方向と直交する方向における補強部材の長さがバンド本体の一端部におけるバンド本体の長手方向と直交する方向の長さに対して短くなる。
【０００６】
このため、この腕時計のバンドでは、バンド本体の一端部を腕時計ケースのバンド取付部に取り付けた状態で、腕時計ケースに対してバンド本体を引っ張ったり回転させたりした際に、肉厚の厚いバンド本体の両側部が変形してバンド本体と腕時計ケースとの間に隙間が生じ、腕時計ケースに対するバンド本体の一体感が損なわれるという問題がある。
【０００７】
この発明が解決しようとする課題は、バンド本体に対する補強部材の取付強度を高め、補強部材に対するバンド本体の変形を確実に抑えることができるバンドおよびそれを備えた時計を提供することである。
【課題を解決するための手段】
【０００８】
この発明は、軟質材料のバンド本体と、このバンド本体の一端部に埋め込まれた硬質材料の補強部材と、を備え、この補強部材は、前記バンド本体の一端部にその端面から一部を露出させた状態で埋め込まれる本体部と、この本体部に前記バンド本体の長手方向と直交する方向に沿って設けられて連結部材が取り付けられる連結取付部と、前記バンド本体の一部が前記本体部に対して食い込む食込み部と、を備え、前記補強部材の前記食込み部は、前記補強部材の前記連結取付部における前記バンド本体の長手方向と直交する方向の中間部に設けられ、前記連結取付部を２つに分断して前記本体部の下面に食い込む切欠き部であることを特徴とするバンドである。
【発明の効果】
【０００９】
この発明によれば、バンド本体の一部を補強部材の食込み部に食い込ませることができるので、バンド本体に対する補強部材の取付強度を高めることができると共に、補強部材に対するバンド本体の変形を確実に抑えることができる。
【図面の簡単な説明】
【００１０】
【図１】この発明を腕時計に適用した一実施形態を示した拡大正面図である
【図２】図１に示された腕時計のＡ−Ａ矢視における要部を示した拡大断面図である。
【図３】図２に示されたバンドのＢ−Ｂ矢視における要部を示した拡大断面図である。
【図４】図３に示されたバンドのＣ−Ｃ矢視における要部を示した拡大断面図である。
【図５】図４に示された補強部材を示した拡大斜視図である。
【図６】図２に示されたバンドの第１変形例を示した要部の拡大断面図である。
【図７】図２に示されたバンドの第２変形例を示した要部の拡大断面図である。
【発明を実施するための形態】
【００１１】
以下、図１〜図５を参照して、この発明を腕時計に適用した一実施形態について説明する。
この腕時計は、図１および図２に示すように、被装着部材である腕時計ケース１を備えている。この腕時計ケース１は、上部側に位置する第１ケース１ａと、下部側に位置する第２ケース１ｂとを備え、全体がほぼ円筒状に形成されている。
【００１２】
この腕時計ケース１の上部開口部、つまり第１ケース１ａの上部開口部には、図２および図４に示すように、時計ガラス２がパッキン２ａを介して取り付けられている。また、この腕時計ケース１の下部、つまり第２ケース１ｂの下部には、裏蓋３が防水リング３ａを介して取り付けられている。
【００１３】
この腕時計ケース１の内部には、図２および図４に示すように、時計モジュール４が設けられている。この時計モジュール４は、指針を駆動する時計ムーブメント、時刻や日付などの情報を電気光学的に表示する表示パネル、これらを電気的に駆動するための回路部など、時計機能に必要な各種の部品（いずれも図示せず）を備えている。
【００１４】
この腕時計ケース１の１２時側と６時側とには、図１および図３に示すように、バンド５を取り付けるためのバンド取付部６がそれぞれ設けられている。これらバンド取付部６それぞれは、腕時計ケース１の外周面から外部に向けて突出する一対の取付突起部６ａを備えている。バンド５は、図２〜図４に示すように、バンド本体７と、このバンド本体７の一端部７ａに埋め込まれた補強部材８と、を備えている。
【００１５】
このバンド５は、図１〜図４に示すように、バンド本体７の一端部７ａが補強部材８と共に腕時計ケース１のバンド取付部６に後述する連結部材であるばね棒１１によって取り付けられるように構成されている。この場合、バンド本体７は、シリコーン樹脂、ウレタン樹脂などの弾力性を有する軟質材料で形成されている。補強部材８は、金属または硬質の合成樹脂などの硬質材料で形成され、バンド本体７の一端部７ａにインサート成型によって埋め込まれるように構成されている。
【００１６】
すなわち、この補強部材８は、図２〜図５に示すように、バンド本体７の一端部７ａにその端面から一部を露出させた状態で埋め込まれる本体部１０と、この本体部１０の下部にバンド本体７の長手方向と直交する方向に沿って設けられてばね棒１１が取り付けられる連結取付部１２と、この連結取付部１２に設けられてインサート成型時にバンド本体７の一部が本体部１０に対して食い込む食込み部である切欠き部１３と、を備えている。
【００１７】
この場合、本体部１０は、図２〜図５に示すように、バンド本体７の長手方向の長さが、腕時計ケース１のバンド取付部６における一対の取付突起部６ａの突出長さとほぼ同じ長さで、かつバンド本体７の長手方向と直交する方向の長さが、一対の取付突起部６ａ間の長さよりも短い長さで形成されている。
【００１８】
これにより、本体部１０は、図３に示すように、バンド取付部６における一対の取付突起部６ａ間に配置されるように構成されている。すなわち、この補強部材８は、バンド本体７の長手方向と直交する方向における本体部１０の長さが、バンド本体７の一端部７ａにおけるバンド本体７の長手方向と直交する方向の長さの範囲内において、できるだけ長く形成されている。
【００１９】
このため、このバンド５は、図２〜図４に示すように、バンド本体７の一端部７ａが補強部材８と共に腕時計ケース１のバンド取付部６における一対の取付突起部６ａ間に配置された際に、バンド本体７の長手方向と直交する方向における補強部材８の両側面とバンド取付部６の一対の取付突起部６ａの対向面との間に、バンド本体７の一端部７ａの両側部が配置されるように構成されている。
【００２０】
すなわち、バンド本体７の一端部７ａの両側部は、図３に示すように、バンド本体７の厚み方向（図３では左右方向）の上側（図３では右側）に位置する肉厚の厚い上側部７ｂと、バンド本体７の厚み方向の下側（図３では左側）に位置する肉厚の薄い下側部７ｃとで形成されている。
【００２１】
この場合、肉厚の厚い上側部７ｂは、図３に示すように、その厚みが補強部材８の両側面とバンド取付部６の一対の取付突起部６ａとの間の長さと同じ長さで形成されている。肉厚の薄い下側部７ｃは、その厚みが補強部材８の両側面とバンド取付部６の一対の取付突起部６ａとの間の長さのほぼ半分の長さで短く形成されている。
【００２２】
これにより、バンド本体７は、図２〜図４に示すように、その一端部７ａの両側部が補強部材８の両側面と一対の取付突起部６ａの対向面との間に配置された際に、一端部７ａの両側部の上側部７ｂが補強部材８の両側面と一対の取付突起部６ａの対向面とに弾接して密接し、下側部７ｃが一対の取付突起部６ａの対向面との間に隙間Ｓをもって配置されるように構成されている。
【００２３】
また、補強部材８の本体部１０におけるバンド本体７の一端部７ａの端面から露出する露出面には、図２〜図５に示すように、凹部１０ａが補強部材８の内部に食い込んで設けられている。この凹部１０ａは、補強部材８の射出成型時に肉厚部に生じるヒケを防ぐほか、補強部材８をバンド本体７の一端部７ａ内にインサート成型する際に、その成型用の金型（図示せず）内に補強部材８を位置規制するように構成されている。
【００２４】
すなわち、この凹部１０ａは、図２〜図５に示すように、バンド本体７の長手方向と直交する方向に細長い矩形状に形成されている。これにより、補強部材８は、射出成型用金型（図示せず）で成型される際に、補強部材８の内部に食い込んだ凹部１０ａによって補強部材８に肉厚部が生じないように形成されることにより、補強部材８の射出成型時にヒケが発生しないように構成されている。
【００２５】
また、この凹部１０ａは、図２〜図５に示すように、補強部材８をバンド本体７の一端部７ａ内にインサート成型する際に、その成型用の金型の一部が挿入することにより、補強部材８を金型内に位置規制して、バンド本体７の一端部７ａに対する補強部材８の位置を規制するように構成されている。
【００２６】
また、補強部材８の連結取付部１２は、図２〜図５に示すように、断面形状がほぼ半円弧状で、本体部１０の下部にバンド本体７の長手方向と直交する方向に沿って設けられている。この連結取付部１２には、ばね棒１１がバンド本体７の長手方向と直交する方向に沿って挿入する連結挿入孔１２ａが設けられている。
【００２７】
これに伴って、バンド本体７の一端部７ａにおける両側部の上側部７ｂの下面側に位置する下側部７ｃには、図２〜図５に示すように、ばね棒１１が挿入するバンド挿入孔７ｄが、連結取付部１２の連結挿入孔１２ａと同一軸上に対応して設けられている。このばね棒１１は、バンド５を腕時計ケース１のバンド取付部６に取り付けるための連結部材である。
【００２８】
すなわち、このばね棒１１は、図２〜図４に示すように、連結取付部１２の連結挿入孔１２ａおよびバンド本体７の両側部における下側部７ｃのバンド挿入孔７ｄに挿入するパイプ１１ａと、このパイプ１１ａの両側に出没可能に挿入する一対のピン部１１ｂと、パイプ１１ａ内に配置されて一対のピン部１１ｂを押し出す方向に付勢するばね部材１１ｃと、を備えている。
【００２９】
これにより、ばね棒１１は、図２〜図４に示すように、パイプ１１ａがバンド本体７の一端部７ａにおける両側部の下側部７ｃに設けられたバンド挿入孔７ｄと補強部材８の連結取付部１２の連結挿入孔１２ａとに挿入された状態で、一対のピン部１１ｂがバンド本体７の両側部における上側部７ｂの下側から側方に突出し、この突出した一対のピン部１１ｂが腕時計ケース１の一対の取付突起部６ａの対向面にそれぞれ設けられた各取付穴６ｂに挿入されることにより、バンド５を腕時計ケース１のバンド取付部６に取り付けるように構成されている。
【００３０】
一方、補強部材８の食込み部である切欠き部１３は、図３および図５に示すように、補強部材８の連結取付部１２におけるバンド本体７の長手方向と直交する方向の中間部に設けられている。すなわち、この切欠き部１３は、補強部材８の本体部１０におけるバンド本体７の長手方向と直交する方向の長さの１／３程度の長さで形成されている。
【００３１】
このため、切欠き部１３は、図２、図３および図５に示すように、補強部材８の連結取付部１２を２つに分断して本体部１０の下面に食い込むように形成されている。この切欠き部１３は、補強部材８をバンド本体７内にインサート成型する際に、バンド本体７の一部７ｅが食い込むことにより、補強部材８をバンド本体７に強固に固定するように構成されている。
【００３２】
この場合、補強部材８の切欠き部１３に食い込んだバンド本体７の一部７ｅには、図２および図３に示すように、ばね棒１１のパイプ１１ａが挿入する食込み挿入孔７ｆが、連結取付部１２の連結挿入孔１２ａと同一軸上に対応して設けられている。この食込み挿入孔７ｆは、バンド本体７を成型する際に、同時に形成されるように構成されている。
【００３３】
また、補強部材８には、図２〜図５に示すように、腕時計ケース１のバンド取付部６にバンド本体７が取り付けられた際に、ばね棒１１を中心とするバンド本体７の回転を規制する回転規制部１４が設けられている。この回転規制部１４は、補強部材８の本体部１０におけるバンド本体７の一端部７ａの端面から露出する露出面に設けられている。すなわち、この回転規制部１４は、腕時計ケース１の外面に当接する第１当接部１４ａと、腕時計ケース１の下面に当接する第２当接部１４ｂと、を備えている。
【００３４】
これにより、バンド５は、図１〜図４に示すように、バンド本体７の一端部７ａが腕時計ケース１のバンド取付部６における一対の取付突起部６ａ間に配置されてばね棒１１によって取り付けられた際に、回転規制部１４の第１当接部１４ａが腕時計ケース１の外周面に当接し、回転規制部１４の第２当接部１４ｂが腕時計ケース１の下面に当接することにより、バンド本体７の一端部７ａの端面と腕時計ケース１の外面との間に隙間が生じないように構成されている。
【００３５】
次に、このような腕時計のバンド５を製作する場合について説明する。
この場合には、予め、補強部材８を製作する。このとき、補強部材８が例えば金属である場合には、切削加工によって形成する。また、補強部材８が硬質の合成樹脂である場合には、補強部材８の射出成型用の金型で成型する。
【００３６】
すなわち、補強部材８が硬質の合成樹脂である場合には、バンド本体７の一端部７ａの端面から露出する補強部材８の露出面に凹部１０ａが補強部材８の内部に食い込んで形成されることにより、補強部材８を射出成型用の金型（図示せず）で成型する際に、補強部材８の内部に食い込んだ凹部１０ａによって補強部材８にヒケが生じないように形成することができる。
【００３７】
これにより、補強部材８は、図５に示すように、本体部１０、連結取付部１２、および切欠き部１３が一体に形成される。このときには、本体部１０に凹部１０ａと回転規制部１４の第１当接部１４ａと回転規制部１４の第２当接部１４ｂとがそれぞれ形成され、連結取付部１２に連結挿入孔１２ａが形成される。
【００３８】
この補強部材８をバンド本体７の一端部７ａにインサート成型する際には、補強部材８の連結取付部１２の連結挿入孔１２ａにばね棒１１のパイプ１１ａと同じ外径のスライドピン（図示せず）を挿入させて連結取付部１２の両側に突出させ、この状態でバンド本体７の成型用の金型（図示せず）内に補強部材８を配置する。このときには、補強部材８の本体部１０に設けられた凹部１０ａに金型の一部を挿入させる。これにより、補強部材８が金型内に精度良く正確に位置規制される。
【００３９】
この状態で、バンド本体７の成型用の金型内に軟質の合成樹脂を充填させて硬化させると、補強部材８が埋め込まれたバンド本体７が形成される。このときには、金型内に充填された軟質の合成樹脂が、補強部材８の本体部１０の一面を除いて、補強部材８のほぼ全体を覆った状態で、補強部材８の食込み部である切欠き部１３に充填されると共に、補強部材８の両側部にも充填される。
【００４０】
そして、バンド本体７の成型用の金型を離型してバンド本体７を取り出すと、バンド本体７の一端部７ａに補強部材８が埋め込まれたバンド５が得られる。このバンド５は、バンド本体７の一端部７ａの端面から補強部材８の本体部１０の一面、つまり本体部１０に設けられた回転規制部１４の第１当接部１４ａと第２当接部１４ｂとが露出した状態で、補強部材８がバンド本体７の一端部７ａ内に強固に固定されている。
【００４１】
すなわち、このバンド５は、バンド本体７の一部７ｅが補強部材８の食込み部である切欠き部１３に食い込んで形成されているので、補強部材８がバンド本体７の一端部７ａ内に強固に固定される。また、このバンド５は、バンド本体７の長手方向と直交する方向の補強部材８の長さが、バンド本体７の一端部７ａにおける両側部間の長さの範囲内において、できるだけ長く形成されているので、これによっても補強部材８がバンド本体７の一端部７ａ内に強固に固定される。
【００４２】
また、このバンド５は、そのインサート成型時に補強部材８の凹部１０ａに金型の一部が挿入して補強部材８がインサート成型用の金型内に正確に位置規制されることにより、バンド本体７の一端部７ａに対する補強部材８の位置が精度良く規制される。これにより、バンド本体７の一端部７ａにおける両側部が均一な肉厚で形成されると共に、腕時計ケース１の外面に対応するバンド本体７の一端部７ａにおける両側部の各端面がバンド本体７の一端部７ａから露出する補強部材８の露出面と同一平面に形成される。
【００４３】
この場合、バンド本体７の成型用の金型を離型した際には、バンド本体７の一端部７ａにおける両側部に、肉厚の厚い上側部７ｂと肉厚の薄い下側部７ｃとが形成される。このため、このバンド５は、補強部材８の本体部１０の一面がバンド本体７の一端部７ａの端面から外部に露出し、かつ補強部材８の両側部に形成されたバンド本体７の両側部における下側部７ｃの肉厚が薄く形成されていても、補強部材８がバンド本体７の一端部７ａ内に強固に固定される。
【００４４】
また、バンド本体７の成型用の金型を離型した際には、スライドピンを抜き取る。すると、バンド本体７の一端部７ａにおける両側部の下側部７ｃにバンド挿入孔７ｄが、補強部材８の連結取付部１２の連結挿入孔１２ａと同一軸上で対応して設けられると共に、連結取付部１２間に位置する切欠き部１３に食い込んだバンド本体７の一部７ｅに食込み挿入孔７ｆが、補強部材８の連結取付部１２の連結挿入孔１２ａと同一軸上で対応して設けられる。
【００４５】
次に、このようなバンド５を腕時計ケース１に取り付ける場合について説明する。
この場合には、まず、ばね棒１１をバンド本体７の一端部７ａに取り付ける。このときには、ばね棒１１のパイプ１１ａを、バンド本体７の一端部７ａにおける両側部の下側部７ｃに設けられたバンド挿入孔７ｄと、補強部材８の連結取付部１２に設けられた連結挿入孔１２ａと、連結取付部１２間に位置する切欠き部１３に食い込んだバンド本体７の一部７ｅに設けられた食込み挿入孔７ｆとに、同一軸上で挿入する。
【００４６】
すると、ばね棒１１の一対のピン部１１ｂがパイプ１１ａ内のばね部材１１ｃのばね力によってバンド本体７の一端部７ａにおける両側部の上側部７ｂの下側から外部に押し出されて突出する。この状態で、バンド本体７を腕時計ケース１のバンド取付部６に取り付ける場合には、一対のピン部１１ｂをばね部材１１ｃのばね力に抗してパイプ１１ａの内部に向けて押し込んで、一対のピン部１１ｂの各先端部をバンド本体７の一端部７ａにおける両側部の上側部７ｂの下側に配置する。
【００４７】
この状態で、バンド本体７の一端部７ａをバンド取付部６の一対の取付突起部６ａ間に配置して、一対のピン部１１ｂの各先端部を一対の取付突起部６ａの対向面にそれぞれ設けられた各取付穴６ｂに対応させる。このときには、バンド本体７の一端部７ａの両側部に設けられた肉厚の薄い下側部７ｃと一対の取付突起部６ａとの間に設けられた隙間Ｓを通して、一対のピン部１１ｂの各先端部を視認しながら、一対の取付突起部６ａの対向面の各取付穴６ｂに対応させる。
【００４８】
すると、一対のピン部１１ｂがばね部材１１ｃのばね力によって押し出され、この押し出された一対のピン部１１ｂの各先端部が一対の取付突起部６ａの各取付穴６ｂにそれぞれ挿入する。これにより、バンド本体７の一端部７ａが補強部材８と共にばね棒１１によって一対の取付突起部６ａに取り付けられる。この結果、バンド５が腕時計ケース１のバンド取付部６に取り付けられる。
【００４９】
この状態では、バンド本体７の一端部７ａにおける両側部の上側部７ｂが補強部材８の両側部とバンド取付部６の一対の取付突起部６ａとに弾接して挟まれる。これにより、バンド本体７の一端部７ａにおける両側部の上側部７ｂとバンド取付部６の一対の取付突起部６ａとの間に隙間が生じないように、バンド５が腕時計ケース１のバンド取付部６に取り付けられる。
【００５０】
また、このときには、バンド本体７の一端部７ａの端面から露出した補強部材８の露出面である回転規制部１４がバンド本体７の一端部７ａにおける両側部の端面と同一面上に位置して形成されていることにより、補強部材８の回転規制部１４が腕時計ケース１の外面にバンド本体７の一端部７ａにおける両側部の端面と共に対面して当接する。これにより、バンド５はばね棒１１を中心とする回転が規制される。
【００５１】
すなわち、回転規制部１４は、第１当接部１４ａがバンド取付部６の一対の取付突起部６ａ間に位置する腕時計ケース１の外周面に当接し、第２当接部１４ｂが腕時計ケース１の下部外周に位置する下面に当接する。このため、バンド５は、ばね棒１１を中心とする回転が阻止されると共に、腕時計ケース１の外面とバンド本体７の一端部７ａの端面との間に隙間が生じないように、バンド５が腕時計ケース１のバンド取付部６に取り付けられる。
【００５２】
この状態では、補強部材８がバンド本体７の一端部７ａに埋め込まれているため、バンド本体７が補強部材８によって腕時計ケース１のバンド取付部６に取り付けられることにより、バンド５が腕時計ケース１に強固に取り付けられる。この場合、補強部材８は、バンド本体７の長手方向と直交する方向の長さが、バンド本体７の一端部７ａにおける両側部間の長さの範囲内において、できるだけ長く形成されているので、これによってもバンド５を腕時計ケース１に強固に取り付ける。
【００５３】
このため、腕時計ケース１に対してバンド本体７を引っ張っても、またばね棒１１を中心に回転させても、バンド本体７の一端部７ａの変形が確実に抑えられるので、バンド本体７が軟質材料で形成していても、バンド本体７の一端部７ａの端面と腕時計ケース１の外面との間に隙間が生じることがなく、またバンド本体７の一端部７ａにおける両側部の上側部７ｂと腕時計ケース１のバンド取付部６における一対の取付突起部６ａとの間にも隙間が生じることがない。これにより、腕時計ケース１とバンド５との一体感が得られる。
【００５４】
また、バンド５を腕時計ケース１のバンド取付部６から取り外す場合には、バンド本体７の一端部７ａの両側部に設けられた肉厚の薄い下側部７ｃと一対の取付突起部６ａとの間に隙間Ｓが設けられているので、この隙間Ｓを通してばね棒１１の一対のピン部１１ｂの各先端部を視認しながら、下側部７ｃと一対の取付突起部６ａとの隙間Ｓに工具を挿入して、一対のピン部１１ｂをばね部材１１ｃのばね力に抗して一対の取付突起部６ａの各取付穴６ｂから離脱させることにより、バンド５を腕時計ケース１のバンド取付部６から容易に取り外すことができる。
【００５５】
このように、この腕時計のバンド５によれば、軟質材料のバンド本体７の一端部７ａにインサート成型によって埋め込まれた硬質材料の補強部材８が、バンド本体７の一端部７ａにその端面から一部を露出させた状態で埋め込まれる本体部１０と、この本体部１０にバンド本体７の長手方向と直交する方向に沿って設けられてばね棒１１が取り付けられる連結取付部１２と、インサート成型時にバンド本体７の一部７ｅが本体部１０に対して食い込む切欠き部１３と、を備えているので、バンド本体７に対する補強部材８の取付強度を高めて、補強部材８に対するバンド本体７の変形を確実に抑えることができる。
【００５６】
すなわち、この腕時計のバンド５では、バンド本体７の一部７ｅを補強部材８の食込み部である切欠き部１３に食い込ませることができるので、バンド本体７に対する補強部材８の取付強度を高めることができると共に、補強部材８に対するバンド本体７の変形を確実に抑えることができる。これにより、バンド本体７が軟質材料で形成されていても、バンド本体７の一端部７ａの端面と腕時計ケース１の外面との間に隙間が生じないようにすることができるので、腕時計ケース１とバンド５との一体感を得ることができる。
【００５７】
この場合、補強部材８の食込み部である切欠き部１３は、補強部材８の連結取付部１２におけるバンド本体７の長手方向と直交する方向の中間部に位置して本体部１０の下面に食い込むように設けられていることにより、補強部材８をバンド本体７内にインサート成型する際に、バンド本体７の一部７ｅを切欠き部１３に確実に食い込ませることができ、これにより補強部材８をバンド本体７に確実にかつ強固に固定することができる。
【００５８】
すなわち、この切欠き部１３は、補強部材８の本体部１０におけるバンド本体７の長手方向と直交する方向の長さの１／３程度の長さで大きく形成されていることにより、切欠き部１３に食い込むバンド本体７の一部７ｅを十分に大きく形成することができ、このため補強部材８をバンド本体７に、より一層、確実にかつ強固に固定することができる。
【００５９】
これにより、この腕時計のバンド５では、腕時計ケース１に対してバンド本体７を引っ張っても、バンド本体７の一端部７ａの変形を確実に抑えることができるので、バンド本体７が軟質材料で形成されていても、バンド本体７の一端部７ａの端面と腕時計ケース１の外面との間に隙間が生じないようにすることができ、このため腕時計ケース１とバンド５との一体感を得ることができる。
【００６０】
また、この腕時計のバンド５では、補強部材８の切欠き部１３に食い込むバンド本体７の一部７ｅと、これに対してバンド本体７の長手方向と直交する方向に対応する補強部材８の両側に配置されたバンド本体７の両側部と、補強部材８の連結取付部１２とが、ばね棒１１によって腕時計ケース１のバンド取付部６に取り付けられることにより、バンド本体７の一端部７ａをバンド取付部６に確実にかつ強固に取り付けることができる。
【００６１】
この場合、この腕時計のバンド５では、バンド本体７の一端部７ａにおける両側部が、肉厚の厚い上側部７ｂと肉厚の薄い下側部７ｃとを備え、これらがバンド本体７の長手方向と直交する方向における補強部材８の両側面と腕時計ケース１のバンド取付部６の対向面との間に配置される構成であることにより、肉厚の厚い上側部７ｂを補強部材８の両側面と一対の取付突起部６ａの対向面とに弾接させて密接させることができ、肉厚の薄い下側部７ｃを一対の取付突起部６ａの対向面との間に隙間Ｓをもって配置させることができる。
【００６２】
このため、このバンド５では、バンド本体７の一端部７ａを腕時計ケース１のバンド取付部６にばね棒１１によって取り付けた状態で、バンド本体７を腕時計ケース１に対して引っ張っても、また回転させても、バンド本体７の一端部７ａにおける両側部の上側部７ｂの変形を抑えて、バンド本体７の一端部７ａにおける両側部の上側部７ｂと腕時計ケース１のバンド取付部６における一対の取付突起部６ａとの間に隙間が生じないようにすることができ、これによっても腕時計ケース１とバンド５との一体感を得ることができる。
【００６３】
この場合、このバンド５では、腕時計ケース１のバンド取付部６にバンド本体７をばね棒１１によって取り付ける際に、バンド本体７の一端部７ａの両側部に設けられた肉厚の薄い下側部７ｃと一対の取付突起部６ａとの間に隙間Ｓを設けることができ、この隙間Ｓを通して一対のピン部１１ｂの各先端部を視認しながら、一対の取付突起部６ａの対向面の各取付穴６ｂに対応させて挿入させることができるので、腕時計ケース１のバンド取付部６にバンド本体７を容易に取り付けることができる。
【００６４】
また、このバンド５では、腕時計ケース１のバンド取付部６からバンド本体７を取り外す際に、バンド本体７の一端部７ａの両側部に設けられた肉厚の薄い下側部７ｃと一対の取付突起部６ａとの間に位置する隙間Ｓに工具を挿入して、一対のピン部１１ｂをばね部材１１ｃのばね力に抗して一対の取付突起部６ａの各取付穴６ｂから離脱させることができるので、バンド５を腕時計ケース１のバンド取付部６から容易に取り外すことができる。
【００６５】
また、この腕時計のバンド５では、バンド本体７の一端部７ａの端面から露出する補強部材８の露出面に凹部１０ａが補強部材８の内部に食い込んで設けられていることにより、補強部材８を射出成型する際に、肉厚部に生じるヒケを防ぐことができると共に、補強部材８をバンド本体７の一端部７ａ内にインサート成型する際に、その成型用の金型（図示せず）内に補強部材８を正確に位置規制することができる。
【００６６】
すなわち、この腕時計のバンド５では、補強部材８を射出成型用の金型（図示せず）で成型する際に、補強部材８の内部に食い込んだ凹部１０ａによって補強部材８に肉厚部が生じないようにすることができ、これにより補強部材８の射出成型時にヒケが発生しないように、補強部材８を精度よく良好に形成することができる。
【００６７】
また、この腕時計のバンド５では、補強部材８をバンド本体７の一端部７ａにインサート成型する際に、インサート成型用の金型の一部を補強部材８の凹部１０ａに挿入させることができるので、補強部材８をインサート成型用の金型内に正確にかつ確実に位置規制することができる。
【００６８】
このため、この腕時計のバンド５では、バンド本体７の一端部７ａに対して補強部材８を正確に位置規制することができるので、バンド本体７の一端部７ａにおける両側部を均一な肉厚で形成することができると共に、腕時計ケース１の外面に対面するバンド本体７の一端部７ａにおける両側部の各端面をバンド本体７の一端部７ａから露出する補強部材８の露出面と同一平面に形成することができる。
【００６９】
これにより、この腕時計のバンド５では、バンド本体７の一端部７ａを腕時計ケース１のバンド取付部６にばね棒１１によって取り付けた際に、バンド本体７の一端部７ａの端面と腕時計ケース１の外面との間に隙間が生じないようにすることができ、これによっても腕時計ケース１とバンド５との一体感を得ることができる。
【００７０】
さらに、この腕時計のバンド５では、補強部材８にばね棒１１を中心とするバンド本体７の回転を規制する回転規制部１４が設けられていることにより、ばね棒１１を中心にバンド本体７が回転するのを確実に規制することができ、これによりバンド本体７が軟質材料で形成されていても、バンド本体７の一端部７ａの端面と腕時計ケース１の外面との間に隙間が生じないようにすることができ、これによっても腕時計ケース１とバンド５との一体感を得ることができる。
【００７１】
すなわち、この回転規制部１４は、腕時計ケース１の外周面に当接する第１当接部１４ａと、腕時計ケース１の下面に当接する第２当接部１４ｂと、を備えているので、第１当接部１４ａをバンド取付部６の一対の取付突起部６ａ間に位置する腕時計ケース１の外周面に当接させ、第２当接部１４ｂを腕時計ケース１の下部外周の下面に当接させることができ、これによりばね棒１１を中心とするバンド５の回転を確実に阻止できると共に、腕時計ケース１の外面とバンド本体７の一端部７ａの端面との間に隙間が生じないようにすることができる。
【００７２】
なお、上述した実施形態では、補強部材８の連結取付部１２の中間部に食込み部である切欠き部１３を設けた場合について述べたが、この発明はこれに限らず、例えば、図６に示す第１変形例のように、バンド本体７の一端部７ａの端面から露出する一面と反対側に位置する補強部材８の本体部１０の他面に、食込み部である溝部１５をバンド本体７の長手方向と直交する方向に沿って設けても良い。
【００７３】
このような第１変形例では、補強部材８の本体部１０に食込み部である溝部１５が設けられていることにより、補強部材８をバンド本体７の一端部７ａにインサート成型によって埋め込む際に、バンド本体７の一部７ｇを溝部１５に食い込ませることができるので、補強部材８の切欠き部１３と同様、補強部材８をバンド本体７の一端部７ａ内に強固に固定することができる。この場合、補強部材８に食込み部として溝部１５のみを設けた構成でも良く、また切欠き部１３と溝部１５との両方を設けた構成でも良い。
【００７４】
また、上述した実施形態では、バンド本体７の一端部７ａの端面から露出する補強部材８の露出面にバンド本体７の回転を規制する回転規制部１４を設けた場合について述べたが、この発明はこれに限らず、例えば、図７に示す第２変形例のように、バンド本体７の一端部７ａに腕時計ケース１の外面に弾接する弾性回転規制部１６を設けた構成であっても良い。
【００７５】
すなわち、この弾性回転規制部１６は、図７に示すように、バンド本体７の一端部７ａにおける端部に枠状に設けられて、バンド本体７の一端部７ａの端面から露出する補強部材８の露出面における周縁部にこれを覆って配置されるように形成されている。これにより、弾性回転規制部１６は、補強部材８の露出面から腕時計ケース１の外面に向けて突出して設けられている。
【００７６】
この場合、バンド本体７の一端部７ａの端面から露出する補強部材８の露出面には、図７に示すように、補強部材８の食込み部としての枠状溝部１７が設けられている。このため、弾性回転規制部１６は、補強部材８の枠状溝部１７に食い込み、この状態で補強部材８の露出面の周縁部に設けられていることにより、補強部材８に対して強固に固定されるように構成されている。
【００７７】
また、この弾性回転規制部１６は、図７に示すように、腕時計ケース１の外周面に弾接する第１弾接部１６ａと、腕時計ケース１の下面に弾接する第２弾接部１６ｂと、で構成されている。これにより、弾性回転規制部１６は、バンド本体７の一端部７ａがばね棒１１によって腕時計ケース１のバンド取付部６に取り付けられた際に、第１弾性部１６ａと第２弾性部１６ｂとが腕時計ケース１の外面に弾接するように構成されている。
【００７８】
このため、この弾性回転規制部１６は、図７に示すように、ばね棒１１を中心にバンド本体７が回転する際に、その回転を弾力的に規制することができると共に、補強部材８の露出面が腕時計ケース１の外面に当接することがなく、第１弾性部１６ａと第２弾性部１６ｂとを腕時計ケース１の外面に弾接させることができる。これにより、バンド本体７の一端部７ａの端面と腕時計ケース１の外面との間に隙間が生じないようすることができるので、より一層、腕時計ケース１とバンド５との一体感を得ることができる。
【００７９】
この場合、バンド本体７の一端部７ａの端面から露出する補強部材８の露出面の周縁部には、補強部材８の食込み部としての枠状溝部１７が設けられていることにより、弾性回転規制部１６を補強部材８の枠状溝部１７に食い込ませることができるので、弾性回転規制部１６を補強部材８の露出面の周縁部に確実にかつ強固に固定することができる。
【００８０】
このため、このバンド本体７では、弾性回転規制部１６が補強部材８の露出面の周縁部からめくれることがないので、これによってもバンド本体７に対する補強部材８の取付強度を高めることができると共に、補強部材８に対するバンド本体７の変形を確実に抑えることができる。
【００８１】
この場合、バンド本体７の一端部７ａの端面から露出する補強部材８の露出面の周縁部に食込み部として設けられた枠状溝部１７は、必ずしも弾性回転規制部１６が食い込んで設けられる必要はなく、バンド本体７の一端部７ａにおける両側部の端部が食込んで設けられた構成であっても良い。この場合には、枠状溝部１７に食い込んだバンド本体７の一端部７ａにおける両側部の端面と補強部材８の慮出面とが同一平面で形成されるように構成しても良い。
【００８２】
また、第２変形例では、補強部材８に食込み部として枠状溝部１７のみを設けた場合について述べたが、この発明はこれに限らず、補強部材８に食込み部として切欠き部１３と枠状溝部１７との両方を設けた構成でも良く、また切欠き部１３と枠状溝部１７とのほかに、第１変形例の溝部１５を更に設けた構成であっても良い。
【００８３】
また、上述した実施形態およびその第１、第２の変形例では、バンド本体７の一端部７ａを腕時計ケース１のバンド取付部６に取り付ける連結部材として、ばね棒１１を用いた場合について述べたが、この発明はこれに限らず、例えば、棒状のピン部材を用いても良く、またねじ部材を用いても良い。
【００８４】
また、上述した実施形態およびその変形例では、バンド本体７の一端部７ａにおける両側部に、肉厚の厚い上側部７ｂと肉厚の薄い下側部７ｃとを設けた場合について述べたが、この発明はこれに限らず、例えば、連結部材としてねじ部材を用いた場合には、バンド本体７の一端部７ａにおける両側部を厚みの薄い肉厚で形成しても良い。
【００８５】
このように構成すれば、バンド本体７の長手方向と直交する方向における補強部材８の長さを、バンド本体７の一端部７ａにおけるバンド本体７の長手方向と直交する方向の長さの範囲内において最大限に長く形成することができるので、補強部材８を最大限の大きさでバンド本体７の一端部７ａ内に埋め込むことができ、この補強部材８によってバンド本体７の一端部７ａの強度を大幅に高めることができる。
【００８６】
さらに、上述した実施形態およびその変形例では、腕時計に適用した場合について述べたが、必ずしも腕時計である必要はなく、例えば腕装着装置、バッグ、鞄、衣服などのバンドにも広く適用することができる。
【００８７】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８８】
（付記）
請求項１に記載の発明は、軟質材料のバンド本体と、前記バンド本体の一端部に埋め込まれた硬質材料の補強部材と、を備え、前記補強部材は、前記バンド本体の一端部にその端面から一部を露出させた状態で埋め込まれる本体部と、前記本体部に前記バンド本体の長手方向と直交する方向に沿って設けられて連結部材が取り付けられる連結取付部と、前記バンド本体の一部が前記本体部に対して食い込む食込み部と、を備えていることを特徴とするバンドである。
【００８９】
請求項２に記載の発明は、請求項１に記載のバンドにおいて、前記補強部材の前記食込み部は、前記補強部材の前記連結取付部における前記バンド本体の長手方向と直交する方向の中間部に設けられて前記本体部に対して食い込む切欠き部であることを特徴とするバンドである。
【００９０】
請求項３に記載の発明は、請求項２に記載のバンドにおいて、前記バンド本体の前記一端部は、前記補強部材の前記切欠き部に食い込む前記バンド本体の一部と、これに対して前記バンド本体の長手方向と直交する方向に対応する前記補強部材の両側に配置された前記バンド本体の両側部と、前記補強部材の前記連結取付部とが、前記連結部材によって被装着部材に取り付けられていることを特徴とするバンドである。
【００９１】
請求項４に記載の発明は、請求項１または請求項２に記載のバンドにおいて、前記バンド本体の前記一端部における両側部には、前記バンド本体の厚み方向の上側に位置する肉厚の厚い上側部と、前記バンド本体の厚み方向の下側に位置する肉厚の薄い下側部と、が形成されていることを特徴とするバンドである。
【００９２】
請求項５に記載の発明は、請求項１〜請求項４のいずれかに記載のバンドにおいて、前記バンド本体の前記一端部の前記端面から露出する前記補強部材の前記一部には、凹部が前記補強部材の内部に食い込んで形成されていることを特徴とするバンドである。
【００９３】
請求項６に記載の発明は、請求項１または請求項２に記載のバンドにおいて、前記補強部材には、前記バンド本体の前記一端部が前記連結部材によって取り付けられる被装着部材の外面に当接することにより、前記連結部材を中心とする前記バンド本体の回転を規制する回転規制部が設けられていることを特徴とするバンドである。
【００９４】
請求項７に記載の発明は、請求項１〜請求項６のいずれかに記載のバンドにおいて、前記補強部材の前記食込み部は、前記補強部材の前記本体部に前記バンド本体の長手方向と直交する方向に沿って設けられた溝部であることを特徴とするバンドである。
【００９５】
請求項８に記載の発明は、請求項１または請求項２に記載のバンドにおいて、前記バンド本体の前記一端部には、その前記端面から露出する前記補強部材の前記一部の周縁部にこれを覆って配置され、前記連結部材によって取り付けられる被装着部材の外面に弾接することにより、前記連結部材を中心とする前記バンド本体の回転を弾力的に規制する回転規制部が設けられていることを特徴とするバンドである。
【００９６】
請求項９に記載の発明は、請求項１〜請求項８のいずれかに記載のバンドにおいて、前記補強部材の前記食込み部は、前記バンド本体の前記一端部の前記端面から露出する前記補強部材の前記一部の周縁部に設けられた枠状溝部であることを特徴とするバンド
【００９７】
請求項１０に記載の発明は、請求項１〜請求項９のいずれかに記載されたバンドを備えていることを特徴とする時計である。
【符号の説明】
【００９８】
１  腕時計ケース
５  バンド
６  バンド取付部
６ａ  取付突起部
６ｂ  取付穴
７  バンド本体
７ａ  一端部
７ｂ  上側部
７ｃ  下側部
７ｄ  バンド挿入孔
７ｅ、７ｇ  一部
７ｆ  食込み挿入孔
８  補強部材
１０  本体部
１０ａ  凹部
１１  ばね棒
１２  連結取付部
１２ａ  連結挿入孔
１３  切欠き部
１４  回転規制部
１４ａ  第１当接部
１４ｂ  第２当接部
１５  溝部
１６  弾性回転規制部
１６ａ  第１弾接部
１６ｂ  第２弾接部
１７  枠状溝部
【図１】
2018108468.tif 000003
【図２】
2018108468.tif 000004
【図３】
2018108468.tif 000005
【図４】
2018108468.tif 000006
【図５】
2018108468.tif 000007
【図６】
2018108468.tif 000008
【図７】
2018108468.tif 000009